(57)【要約】【課題】電源コードを交換するときに、電源コードの誤配線を確実に防止できると共に、部品数を減少して、コストを低減できる電源コード接続位置の表示構造を提供する。【解決手段】収納箱９には、接続部１６ａ，１６ｂのうちの電源コード１５の中性線１５ｂが接続されるべき位置を表示する中性線表示部１７を、一体に成形している。したがって、上記中性線表示部１７は、上記収納箱９から外れることがなく、上記電源コード１５を交換するときに、上記電源コード１５の上記中性線１５ｂの誤配線を防止できる。また、部品数を減少して、コストを低減できる。【選択図】図４Ａ
2007113829.tif 000002
【特許請求の範囲】
【請求項１】
電気機器本体と、
この電気機器本体に設けられる機器内配線と、
上記電気機器本体に設けられると共に上記機器内配線と電気的に接続される接続部を有する収納箱と、
この収納箱に取り付けられると共に、中性線を含み上記接続部を介して上記機器内配線に電気的に接続可能な電源コードを、上記収納箱に着脱自在に取り付ける取付部材と
を備え、
上記収納箱には、上記接続部のうちの上記電源コードの上記中性線が接続されるべき位置を表示する中性線表示部を、一体に成形していることを特徴とする電源コード接続位置の表示構造。
【請求項２】
請求項１に記載の電源コード接続位置の表示構造において、
上記中性線表示部は、凹凸状に成形されていることを特徴とする電源コード接続位置の表示構造。
【請求項３】
請求項１に記載の電源コード接続位置の表示構造において、
上記中性線表示部は、上記取付部材の近傍に、設けられていることを特徴とする電源コード接続位置の表示構造。
【請求項４】
請求項３に記載の電源コード接続位置の表示構造において、
上記中性線表示部は、上記取付部材に取り付けられた上記電源コードに重ならない位置に、設けられていることを特徴とする電源コード接続位置の表示構造。
【請求項５】
請求項４に記載の電源コード接続位置の表示構造において、
上記中性線表示部と上記取付部材の間の距離は、１０ｍｍ以内であることを特徴とする電源コード接続位置の表示構造。
【請求項６】
請求項１ないし５の何れか一つに記載の電源コード接続位置の表示構造を備えることを特徴とする冷蔵庫。
【請求項７】
請求項１ないし５の何れか一つに記載の電源コード接続位置の表示構造を備え、
上記収納箱は、開口を有する箱本体と、この箱本体の開口を覆うようにこの箱本体に取り付けられる蓋本体とを有し、
上記取付部材は、上記箱本体に取り付けられ、
上記中性線表示部は、上記取付部材の近傍で上記箱本体に一体に成形され、上記蓋本体にて覆われていることを特徴とする冷蔵庫。
【発明の詳細な説明】
【技術分野】
【０００１】
この発明は、電気機器の電源コード接続位置の表示構造、および、この電源コード接続位置の表示構造を備える冷蔵庫に関する。
【背景技術】
【０００２】
従来より、電気機器の一例としての冷蔵庫には、外部からの電源を、内部の（圧縮機等の）電気部品に供給するために、機器内配線が設けられている（特開２００４−２７１１７４号公報：特許文献１参照）。上記機器内配線と上記外部電源とは、電源コードを介して、電気的に接続されている。
【０００３】
そして、上記冷蔵庫を他国で使用する場合、使用者は、上記電源コードを、他国に適合した電源コードに、交換する必要がある。このとき、使用者は、冷蔵庫側において、上記機器内配線のうちの上記電源コードの上記中性線が接続されるべき位置（以下、中性線用接続位置という）を確認できずに、上記電源コードに含まれる中性線を、上記機器内配線のうちの上記中性線用接続位置以外の他の位置に、誤って接続するおそれがあった。
【０００４】
そこで、この誤配線を防止するために、一般的に、上記機器内配線の上記中性線用接続位置に、ラベルを貼り付けて、上記電源コードの上記中性線が接続されるべき位置を表示していた。
【０００５】
しかしながら、上記機器内配線の上記中性線用接続位置に上記ラベルを貼り付ける場合では、上記ラベルが上記機器内配線の上記中性線用接続位置から外れるおそれがあって、上記電源コードの上記中性線を、上記機器内配線の上記中性線用接続位置に正確に接続できずに、上記電源コードの誤配線が発生していた。また、上記ラベルを別途製造する必要があるので、部品数が増加し、コスト高になっていた。
【特許文献１】特開２００４−２７１１７４号公報
【発明の開示】
【発明が解決しようとする課題】
【０００６】
そこで、この発明の課題は、電源コードを交換するときに、電源コードの誤配線を確実に防止できると共に、部品数を減少して、コストを低減できる電源コード接続位置の表示構造を提供することにある。
【課題を解決するための手段】
【０００７】
上記課題を解決するため、この発明の電源コード接続位置の表示構造は、電気機器本体と、この電気機器本体に設けられる機器内配線と、上記電気機器本体に設けられると共に上記機器内配線と電気的に接続される接続部を有する収納箱と、この収納箱に取り付けられると共に、中性線を含み上記接続部を介して上記機器内配線に電気的に接続可能な電源コードを、上記収納箱に着脱自在に取り付ける取付部材とを備え、
上記収納箱には、上記接続部のうちの上記電源コードの上記中性線が接続されるべき位置を表示する中性線表示部を、一体に成形していることを特徴としている。
【０００８】
この発明の電源コード接続位置の表示構造によれば、上記収納箱には、上記接続部のうちの上記電源コードの上記中性線が接続されるべき位置（以下、中性線用接続位置という）を表示する中性線表示部を、一体に成形しているので、上記中性線表示部は、上記収納箱から外れることがなく、例えば上記電源コードを交換するときに、上記電源コードの上記中性線を、上記接続部の上記中性線用接続位置に正確に接続できて、上記電源コードの誤配線を防止できる。また、部品数を減少して、コストを低減できる。
【０００９】
また、一実施形態の電源コード接続位置の表示構造では、上記中性線表示部は、凹凸状に成形されている。
【００１０】
この実施形態の電源コード接続位置の表示構造によれば、上記中性線表示部は、凹凸状に成形されているので、塑性変形にて上記中性線表示部を簡単に成形できる。
【００１１】
また、一実施形態の電源コード接続位置の表示構造では、上記中性線表示部は、上記取付部材の近傍に、設けられている。
【００１２】
この実施形態の電源コード接続位置の表示構造によれば、上記中性線表示部は、上記取付部材の近傍に、設けられているので、上記電源コードを上記収納箱に取り付けるときに、上記中性線表示部に気が付きやすくなる。
【００１３】
また、一実施形態の電源コード接続位置の表示構造では、上記中性線表示部は、上記取付部材に取り付けられた上記電源コードに重ならない位置に、設けられている。
【００１４】
この実施形態の電源コード接続位置の表示構造によれば、上記中性線表示部は、上記取付部材に取り付けられた上記電源コードに重ならない位置に、設けられているので、上記電源コードを上記収納箱に取り付けた後にも、使用者は上記中性線表示部を視認できる。
【００１５】
また、一実施形態の電源コード接続位置の表示構造では、上記中性線表示部と上記取付部材の間の距離は、１０ｍｍ以内である。
【００１６】
この実施形態の電源コード接続位置の表示構造によれば、上記中性線表示部と上記取付部材の間の距離は、１０ｍｍ以内であるので、上記中性線表示部の視認性が一層向上する。
【００１７】
また、この発明の冷蔵庫は、上記電源コード接続位置の表示構造を備えることを特徴としている。
【００１８】
この発明の冷蔵庫によれば、上記電源コード接続位置の表示構造を備えるので、上記電源コードを交換するときに、上記電源コードの誤配線を確実に防止できて、他国での使用に好適となる。
【００１９】
また、一実施形態の冷蔵庫では、上記電源コード接続位置の表示構造を備え、上記収納箱は、開口を有する箱本体と、この箱本体の開口を覆うようにこの箱本体に取り付けられる蓋本体とを有し、上記取付部材は、上記箱本体に取り付けられ、上記中性線表示部は、上記取付部材の近傍で上記箱本体に一体に成形され、上記蓋本体にて覆われている。
【００２０】
この実施形態の冷蔵庫によれば、上記中性線表示部は、上記蓋本体にて覆われているので、上記中性線表示部は、外部にさらされず、冷蔵庫の使用中、移動中や運搬中に、上記中性線表示部に汚れや傷が付くことを防止できて、上記中性線表示部の表示を鮮明に保つことができる。また、上記中性線表示部は、上記取付部材の近傍で上記箱本体に一体に成形されるので、上記電源コードを上記収納箱に取り付けるときに、上記中性線表示部に気が付きやすくなる。
【発明の効果】
【００２１】
この発明の電源コード接続位置の表示構造によれば、上記収納箱には、上記接続部のうちの上記電源コードの上記中性線が接続されるべき位置を表示する中性線表示部を、一体に成形しているので、上記電源コードを交換するときに、上記電源コードの誤配線を確実に防止できると共に、部品数を減少して、コストを低減できる。
【００２２】
この発明の冷蔵庫によれば、上記電源コード接続位置の表示構造を備えるので、上記電源コードを交換するときに、上記電源コードの誤配線を確実に防止できて、他国での使用に好適となる。
【発明を実施するための最良の形態】
【００２３】
以下、この発明を図示の実施の形態により詳細に説明する。
【００２４】
図１は、本発明の電源コード接続位置の表示構造を備える冷蔵庫の縦断面図を示している。この冷蔵庫は、電気機器本体の一例としての冷蔵庫本体１と、この冷蔵庫本体１の上下の開口に取り付けられる上側の冷凍室扉５および下側の冷蔵室扉６とを備える。
【００２５】
上記冷蔵庫本体１の内部は、仕切り壁４によって、上側の冷凍室２および下側の冷蔵室３を、形成している。
【００２６】
上記冷凍室２内で、上記冷蔵庫本体１の背面（奥面）の壁には、冷却器１３および庫内冷却循環用の電動送風機（冷却用循環電動機）７が設置されている。上記冷蔵室３の後方下側で、上記冷蔵庫本体１の背面下部には、冷媒圧縮用の圧縮電動機（冷却用圧縮電動機）８が設置されている。この圧縮電動機８の上部に、除霜水蒸発用の蒸発皿１１が設置されている。
【００２７】
図２に示すように、上記冷蔵庫本体１の背面下部で、上記圧縮電動機８の側方には、収納箱９が設けられている。この収納箱９は、樹脂からなり、例えば、厚み１ｍｍ以上の難燃性射出成形品である。上記冷蔵庫本体１にネジにより固定されている。この収納箱９は、開口を有する箱本体９ａと、この箱本体９ａの開口を覆うようにこの箱本体９ａに着脱自在に取り付けられる蓋本体９ｂとを有する。上記収納箱９には、除霜タイマー１２などの電気部品が収納されている。
【００２８】
上記収納箱９には、一端にプラグ１４を有する電源コード１５を収納している。この電源コード１５は、外部からの電源を、上記冷蔵庫本体１内部の電気部品に供給している。上記冷蔵庫本体１には、上記電源コード１５と、上記冷蔵庫本体１内部の電気部品とに、電気的に接続する機器内配線が設けられている。
【００２９】
具体的に述べると、図３の回路図に示すように、上記機器内配線３０は、上記循環電動機７および上記圧縮電動機８に電気的に接続されている。上記機器内配線３０の一端３０ａは、第１の接続部１６ａに電気的に接続される。上記機器内配線３０の他端３０ｂは、第２の接続部１６ｂに電気的に接続される。上記第１の接続部１６ａおよび上記第２の接続部１６ｂは、例えば、閉端接続子である。
【００３０】
上記電源コード１５は、活電線（live）１５ａ、中性線（neutral）１５ｂおよび接地線（earth）１５ｃからなる。上記活電線１５ａは、茶色の被膜を有する。上記中性線１５ｂは、青色の被膜を有する。上記接地線１５ｃは、黄色地に緑色のストライプの被膜を有する。
【００３１】
上記活電線１５ａの一端は、上記第１の接続部１６ａに電気的に接続される。上記活電線１５ａの他端は、上記プラグ１４を介して、外部電源である屋内配線２０の活電線２０ａに電気的に接続される。
【００３２】
上記中性線１５ｂの一端は、上記第２の接続部１６ｂに電気的に接続される。上記中性線１５ｂの他端は、上記プラグ１４を介して、上記屋内配線２０の中性線２０ｂに電気的に接続される。
【００３３】
上記接地線１５ｃの一端は、接地され、上記接地線１５ｃの他端は、上記プラグ１４を介して、上記屋内配線２０の接地線２０ｃに電気的に接続される。
【００３４】
つまり、上記屋内配線２０の上記活電線２０ａ、上記電源コード１５の上記活電線１５ａおよび上記機器内配線３０の一端３０ａが電気的に接続され、上記屋内配線２０の上記中性線２０ｂ、上記電源コード１５の上記中性線１５ｂおよび上記機器内配線３０の他端３０ｂが電気的に接続されて、外部の電源が上記循環電動機７および上記圧縮電動機８に供給される。
【００３５】
図４Ａと図４Ｂに示すように、上記収納箱９は、上記第１の接続部１６ａ、上記第２の接続部１６ｂおよび接地部３１を有する。この接地部３１は、上記冷蔵庫本体１の金属部(アングル部)であり、この接地部３１に、上記電源コード１５の上記接地線１５ｃが、ネジ止めされている。
【００３６】
上記収納箱９内（つまり、上記箱本体９ａの内面）には、上記電源コード１５を上記収納箱９内に着脱自在に取り付ける取付部材１０が、取り付けられている。この取付部材１０は、上記収納箱９にネジ止めされ、上記電源コード１５を挟持している。
【００３７】
上記収納箱９には、上記接続部１６ａ，１６ｂのうちの上記電源コード９の上記中性線１５ｂが接続されるべき位置（以下、中性線用接続位置という）を表示する中性線表示部１７を、一体に成形している。つまり、上記中性線表示部１７は、上記取付部材１０の近傍で上記箱本体９ａの内面に一体に成形され、（図２に示す）上記蓋本体９ｂにて覆われている。なお、図４Ａと図４Ｂでは、上記蓋本体９ｂを省略して描いている。
【００３８】
上記中性線用接続位置は、上記第２の接続部１６ｂであり、この第２の接続部１６ｂに接続される上記機器内配線３０の他端３０ｂは、上記収納箱９内面から、露出している。また、上記第１の接続部１６ａに接続される上記機器内配線３０の一端３０ａは、上記収納箱９内面から、露出している。
【００３９】
上記機器内配線３０の一端３０ａは、上記電源コード１５の上記活電線１５ａと同じ色（茶色）である。上記機器内配線３０の他端３０ｂは、上記電源コード１５の上記中性線１５ｂと同じ色（青色）である。
【００４０】
上記中性線表示部１７は、「Ｎ＝◎＝Ｂｌｕｅ」と表示されている。
【００４１】
ここで、上記冷蔵庫を他国で使用する場合、使用者は、上記電源コード１５を、他国に適合した電源コード１５に、交換する必要がある。そして、ＩＥＣ規格には、「使用者が自ら電源コードを交換すること」を想定した規定がある。
【００４２】
具体的に述べると、この規定は、国際安全規格IEC60335-1(Safety of household and similar electrical appliances.  Part 1:General requirements.；「家庭用及び類似用途電気機器の安全性  パート1:一般要求」）にある。
【００４３】
そして、この規定によると、上記電源コード１５を交換する際に、活電線１５ａ、中性線１５ｂおよび接地線１５ｃを誤接続しないように、中性線１５ｂを接続するべき位置は、文字「Ｎ」により表示し、接地線１５ｃを接続するべき位置は、接地記号により表示する必要がある。また、上記位置表示は、上記電源コード１５を交換する際に取り外しできる部品へは、この部品を使用者が取り付け忘れた場合を想定して、表示不可と規定している。
【００４４】
つまり、上記中性線表示部１７の「Ｎ＝◎＝Ｂｌｕｅ」とは、「中性線を接続するべき位置は、青色である」を意味している。そして、この「青色」とは、「上記機器内配線３０の他端３０ｂの色」を示し、結果として、上記中性線表示部１７は、「上記中性線１５ｂを接続するべき位置は、上記第２の接続部１６ｂである」を示している。
【００４５】
なお、上記接地部３１には、接地記号１８が表示され、上記接地線１５ｃを接続するべき位置を示している。
【００４６】
また、上記電源コード１５を交換する際に、上記収納箱９は取り外されないので、上記中性線表示部１７および上記接地部３１の上記接地記号１８は、上記ＩＥＣ規格を満たす。
【００４７】
上記中性線表示部１７は、凹凸状に成形されている。上記収納箱９が樹脂からなるので、上記収納箱９の成形時に、上記中性線表示部１７を同時に成形できる。
【００４８】
上記中性線表示部１７は、上記取付部材１０の近傍に、設けられている。詳しくは、上記中性線表示部１７は、上記取付部材１０が取り付けられる上記収納箱９の面（以下、取付部材面９１という）と同一の高さの面に、設けられている。具体的に述べると、上記収納箱９は、上記取付部材面９１よりも奥側に、奥面９２を有する。上記取付部材面９１には、上記中性線表示部１７以外に、上記接地部３１も配置されている。上記奥面９２には、上記電源コード１５が収納されている。
【００４９】
上記中性線表示部１７は、上記取付部材１０に取り付けられた上記電源コード１５に重ならない位置に、設けられている。つまり、上記中性線表示部１７は、上記電源コード１５の経路上にない。上記中性線表示部１７と上記取付部材１０の間の距離は、１０ｍｍ以内である。
【００５０】
上記冷蔵庫本体１、上記機器内配線３０、上記収納箱９、上記取付部材１０、および、上記収納箱９に一体に成形された上記中性線表示部１７によって、電源コード接続位置の表示構造を構成している。
【００５１】
次に、上記電源コード１５を交換する作業を説明する。
【００５２】
まず、上記電源コード１５の上記活電線１５ａ、上記中性線１５ｂおよび上記接地線１５ｃを、上記収納箱９の上記第１の接続部１６ａ、上記第２の接続部１６ｂおよび上記接地部３１から取り外す。そして、上記取付部材１０を上記収納箱９から取り外して、上記電源コード１５を上記取付部材１０から取り外す。
【００５３】
その後、他の電源コード１５を、上記取付部材１０を介して、上記収納箱９に取り付ける。そして、上記中性線表示部１７、および、上記接地部３１の上記接地記号１８を確認して、上記他の電源コード１５の上記活電線１５ａ、上記中性線１５ｂおよび上記接地線１５ｃを、上記収納箱９の上記第１の接続部１６ａ、上記第２の接続部１６ｂおよび上記接地部３１に接続する。
【００５４】
上記構成の電源コード接続位置の表示構造によれば、上記収納箱９には、上記接続部１６ａ，１６ｂのうちの中性線用接続位置を表示する中性線表示部１７を、一体に成形しているので、上記中性線表示部１７は、上記収納箱９から外れることがなく、例えば上記電源コード１５を交換するときに、上記電源コード１５の上記中性線１５ｂを、上記中性線用接続位置に正確に接続できて、上記電源コード１５の誤配線を防止できる。また、部品数を減少して、コストを低減できる。
【００５５】
また、上記中性線表示部１７は、凹凸状に成形されているので、塑性変形にて上記中性線表示部を簡単に成形できる。
【００５６】
また、上記中性線表示部１７は、上記取付部材１０の近傍に、設けられているので、上記電源コード１５を上記収納箱９に取り付けるときに、上記中性線表示部１７に気が付きやすくなる。
【００５７】
なお、図４Ｂの仮想線に示すように、上記中性線表示部１７を上記収納箱９の上記奥面９２に設けてもよいが、上記中性線表示部１７を上記収納箱９の上記取付部材面９１に設けるほうが、好ましい。つまり、上記中性線表示部１７を上記収納箱９の上記奥面９２に設けた場合、上記電源コード１５は上記奥面９２に収納されて、上記電源コード１５によって上記中性線表示部１７が隠れるおそれがある。したがって、上記中性線表示部１７を上記取付部材面９１に設けると、収納される上記電源コード１５によって隠れない。
【００５８】
また、上記中性線表示部１７は、上記取付部材１０に取り付けられた上記電源コード１５に重ならない位置に、設けられているので、上記電源コード１５を上記収納箱９に取り付けた後にも、使用者は上記中性線表示部１７を視認できる。
【００５９】
また、上記中性線表示部１７と上記取付部材１０の間の距離は、１０ｍｍ以内であるので、上記中性線表示部１７の視認性が一層向上する。
【００６０】
また、上記構成の冷蔵庫によれば、上記電源コード接続位置の表示構造を備えるので、上記電源コード１５を交換するときに、上記電源コード１５の誤配線を確実に防止できて、他国での使用に好適となる。
【００６１】
また、上記中性線表示部１７は、上記蓋本体９ｂにて覆われているので、上記中性線表示部１７は、外部にさらされず、冷蔵庫の使用中、移動中や運搬中に、上記中性線表示部１７に汚れや傷が付くことを防止できて、上記中性線表示部１７の表示を鮮明に保つことができる。
【００６２】
なお、この発明は上述の実施形態に限定されない。例えば、上記中性線表示部１７は、刻印または印刷によって、上記収納箱９に一体に成形されていてもよい。また、上記収納箱９は、上記冷蔵庫本体１に一体に成形されてもよい。また、上記収納箱９は、樹脂製に限らず、金属製であってもよい。また、上記電源コード接続位置の表示構造を、冷蔵庫以外に、電子レンジ、洗濯機や掃除機などの家庭用の電気機器に用いてもよい。
【００６３】
また、上記箱本体９ａの開口部が、周壁にて覆われておらず、例えばフランジ状に形成された露出面を有する場合、この露出面に、上記取付部材１０や上記中性線表示部１７を設けてもよい。このとき、上記取付部材１０や上記中性線表示部１７は、上記収納箱９（上記箱本体９ａ）の内面でない一面に、設けられる。なお、このように、上記中性線表示部１７が、上記箱本体９ａ内から露出していても、上記中性線表示部１７は、上記蓋本体９ｂによって、保護されている。
【００６４】
また、上記収納箱９の内面や上記露出面を含む面は、三段以上の高さを有する面に形成されてもよく、また、傾斜面や、曲面や、それらの面の組み合わせ等から成るか、それらの面を一部に含んでいてもよい。そして、このとき、上記中性線表示部１７は、上記取付部材１０の近傍のそれらの面の一つに、設けられていればよい。詳しくは、上記中性線表示部１７は、上記接続部１６ａ，１６ｂよりも、上記取付部材１０に近い側にあればよく、上記電源コード１５を上記収納箱９に取り付けるときに、上記中性線表示部１７に気が付きやすくなる。これに対して、上記中性線表示部１７が上記接続部１６ａ，１６ｂに近いと、上記収納箱９に収納される上記電源コード１５に邪魔されて上記中性線表示部１７に気が付きにくくなるおそれがある。さらに、上記中性線表示部１７は、上記取付部材１０を上記収納箱９に取り付ける側から目視可能な位置（面）に、設けられていればよく、好ましくは、上記中性線表示部１７を、上記取付部材１０を取り付ける方向（つまり、ユーザの視線）に略直交する面に設けると、上記中性線表示部１７を一層目視しやすくなって、上記電源コード１５の誤配線を防止できる。
【００６５】
また、上記蓋本体９ｂは、上記箱本体９ａの開口に対して開閉自在となるように、上記箱本体９ａにヒンジ等にて取り付けてもよい。
【図面の簡単な説明】
【００６６】
【図１】本発明の電源コード接続位置の表示構造を備える冷蔵庫の縦断面図である。
【図２】冷蔵庫の背面下部の拡大背面図である。
【図３】冷蔵庫の電気回路図である。
【図４Ａ】収納箱の拡大図である。
【図４Ｂ】収納箱の縦断面図である。
【符号の説明】
【００６７】
１    冷蔵庫本体（電気機器本体）
９    収納箱
９ａ    箱本体
９ｂ    蓋本体
１０    取付部材
１５    電源コード
１５ａ    活電線
１５ｂ    中性線
１５ｃ    接地線
１６ａ    第１の接続部
１６ｂ    第２の接続部
１７    中性線表示部
３０    機器内配線
３０ａ    一端
３０ｂ    他端
３１    接地部
【図１】
2007113829.tif 000003
【図２】
2007113829.tif 000004
【図３】
2007113829.tif 000005
【図４Ａ】
2007113829.tif 000006
【図４Ｂ】
2007113829.tif 000007